(57)【特許請求の範囲】
【請求項１】
内部に炭や薪などの燃料を収納し得るコンロ本体の上方開口部に金属網や金属板などの焼き具を配設して焼き調理が行えるように構成されたバーベキューコンロであって、前記コンロ本体には、該コンロ本体に対して起伏自在となる連結体が設けられ、この連結体には、前記焼き具を載置し得る焼き具載置体が設けられ、この連結体を起状態とした際、前記焼き具載置体は前記焼き具が前記コンロ本体から所定高さ位置において水平状態を維持したまま該コンロ本体の後方に移動して該焼き具載置体に載置された該焼き具と該コンロ本体の上方開口部との間に前記燃料を通過させて収納するに適した燃料通過空間が形成され、この連結体を伏状態とした際、前記焼き具載置体が前記コンロ本体の上方に復帰動して前記燃料通過空間が前記焼き具により閉塞されるように構成された焼き具移動構造を具備し、前記連結体の上端は前記焼き具載置体に夫々枢着され、また、前記連結体の下端は屈曲され、この屈曲部は、該連結体が起状態となって該コンロ本体に対し９０°を超えた位置において該コンロ本体の上縁部に当接するストッパーに設定され、前記連結体は、前記焼き具載置体が前記コンロ本体の上方に位置している水平の伏状態から該コンロ本体に対して９０°を超えた位置となる起状態までの間において回動せしめられるように構成されていることを特徴とするバーベキューコンロ。
【請求項２】
請求項１記載のバーベキューコンロにおいて、前記連結体には、該連結体の起伏動を握持操作し得るグリップが設けられていることを特徴とするバーベキューコンロ。
【請求項３】
請求項１，２いずれか１項に記載のバーベキューコンロにおいて、前記焼き具載置体は方形枠状であることを特徴とするバーベキューコンロ。
【発明の詳細な説明】
【０００１】
【発明の属する技術分野】
本発明は、バーベキューコンロに関するものである。
【０００２】
【従来の技術及び発明が解決しようとする課題】
従来から、内部に炭や薪などの燃料を収納し得るコンロ本体の上方開口部に金属網や金属板などの焼き具を配設して焼き調理が行えるように構成したバーベキューコンロが提案されている（以下、従来例という。）。
【０００３】
ところで、従来例は、例えば調理中などにおいて燃料の補充が必要となった場合、箸や挟み具などで熱い焼き具をコンロ本体の上方開口部から持ち上げて補充している。
【０００４】
しかしながら、焼き具を持ったまま片手で燃料の補充作業を行うのは厄介であり、しかも、不安定な状態の為に熱い焼き具を落とした場合には極めて危険であるなどの問題点がある。
【０００５】
本発明は、上述問題点を解決する画期的なバーベキューコンロを提供するものである。
【０００６】
【課題を解決するための構造】
添付図面を参照して本発明の要旨を説明する。
【０００７】
内部に炭や薪などの燃料１を収納し得るコンロ本体２の上方開口部に金属網や金属板などの焼き具３を配設して焼き調理が行えるように構成されたバーベキューコンロであって、前記コンロ本体２には、該コンロ本体２に対して起伏自在となる連結体６が設けられ、この連結体６には、前記焼き具３を載置し得る焼き具載置体５が設けられ、この連結体６を起状態とした際、前記焼き具載置体５は前記焼き具３が前記コンロ本体２から所定高さ位置において水平状態を維持したまま該コンロ本体２の後方に移動して該焼き具載置体５に載置された該焼き具３と該コンロ本体２の上方開口部との間に前記燃料１を通過させて収納するに適した燃料通過空間Ｓが形成され、この連結体６を伏状態とした際、前記焼き具載置体５が前記コンロ本体２の上方に復帰動して前記燃料通過空間Ｓが前記焼き具３により閉塞されるように構成された焼き具移動構造４を具備し、前記連結体６の上端は前記焼き具載置体５に夫々枢着され、また、前記連結体６の下端は屈曲され、この屈曲部は、該連結体６が起状態となって該コンロ本体２に対し９０°を超えた位置において該コンロ本体２の上縁部に当接するストッパーに設定され、前記連結体６は、前記焼き具載置体５が前記コンロ本体２の上方に位置している水平の伏状態から該コンロ本体２に対して９０°を超えた位置となる起状態までの間において回動せしめられるように構成されていることを特徴とするバーベキューコンロに係るものである。
【０００８】
また、請求項１記載のバーベキューコンロにおいて、前記連結体６には、該連結体６の起伏動を握持操作し得るグリップ12が設けられていることを特徴とするバーベキューコンロに係るものである。
【０００９】
また、請求項１，２いずれか１項に記載のバーベキューコンロにおいて、前記焼き具載置体５は方形枠状であることを特徴とするバーベキューコンロに係るものである。
【００１０】
【発明の作用及び効果】
本発明は、コンロ本体２内に燃料１を収納する場合、即ち、例えば燃料１の補充が必要になった場合、コンロ本体２に設けた焼き具移動構造４により焼き具３を移動させて当該焼き具３とコンロ本体２の上方開口部との間に燃料通過空間Ｓを形成し、この燃料通過空間Ｓから該燃料１をコンロ本体２内に収納するものである。
【００１１】
従って、本発明は、従来例に比し、燃料１の収納（補充）が安全に且つ良好に行えることになる。
【００１２】
以上のように、本発明は、従来にない画期的な作用効果を発揮し、極めて商品価値の高いものになる。
【００１３】
【発明の実施の形態】
図面は本発明の一実施例を図示したものであり、以下に説明する。
【００１４】
本実施例は、内部に炭や薪などの燃料１を収納し得るコンロ本体２の上方開口部に金属網や金属板などの焼き具３を配設して焼き調理が行えるように構成したものである。
【００１５】
以下、本実施例に係る構成各部について詳細な説明をする。
【００１６】
コンロ本体２は、図１，２に図示したように適宜な金属製の板部材を箱状に形成したものであり、その内部には燃料１を載置する燃料載置部８（火格子）が設けられ、外部には４本の脚部材７が着脱自在に設けられている。
【００１７】
また、コンロ本体２には、その上方開口部２ａに配設した焼き具３を移動せしめて該焼き具３とコンロ本体２の上方開口部２ａとの間に燃料１を通過させて該コンロ本体２に該燃料１を収納するに適した燃料通過空間Ｓを形成する焼き具移動構造４が設けられている。
【００１８】
具体的には、この焼き具移動構造４は、焼き具３を載置する焼き具載置体５と、この焼き具載置体５をコンロ本体２に連結する連結体６とで構成されている。
【００１９】
焼き具載置体５は、図１〜５に図示したように適宜な金属製の棒材を方形枠状に形成したものであり、コンロ本体２の上方開口部２ａと略同一の大きさに設けられ、焼き具３を架設状態に載置し得るように構成されている。
【００２０】
また、この焼き具載置体５は、連結体６を介してコンロ本体２に連設されている。
【００２１】
連結体６は、図１〜５に図示したように適宜な金属製の棒材により構成され、焼き具載置体５の左右側部の略中央位置に枢着される第一連結部材９と、焼き具載置体５の左右側部の前方寄りの位置に枢着される第二連結部材10とで構成されている。
【００２２】
また、この左右の第一連結体９の他端は、コンロ本体２の左右側面夫々の後端部に枢着され、一方、左右の第二連結部材10の他端は、コンロ本体２の左右側部夫々の略中央位置に枢着されており、よって、この第一連結部材９及び第二連結部材10は夫々コンロ本体２に対して伏状態から起状態へ起伏自在となり、この第一連結部材９及び第二連結部材10夫々の起伏動により、焼き具載置体５は略水平状態を維持したまま図３に図示したコンロ本体２の上方開口部２ａに合致する位置から、図４に図示したコンロ本体２の上部開口部２ａから所定高さの後方へずれた位置までの間を昇降することになる。
【００２３】
また、左右の第二連結部材10同志は、コ字状部材11により連設されており、このコ字状部材11の中央にはグリップ部12が設けられている。
【００２４】
従って、このグリップ部12を握持操作することにより、焼き具載置体５をコンロ本体２の上方開口部２ａと合致する状態から所定高さ後方へずれた位置に移動させることができ、このことから、焼き具３とコンロ本体２の上方開口部２ａとの間には燃料１を通過させてコンロ本体２へ収納するに十分な空間（燃料通過空間Ｓ）が形成されることになる。
【００２５】
また、第一連結部材９は、夫々そのコンロ本体２との枢着部にしてコンロ本体２内に嵌挿される端部が屈曲形成されており、この屈曲部９ａは第一連結部材９の抜け止め機能を発揮するとともに、第一連結部材９を起状態とした際、コンロ本体２の上縁部（鍔部２ａ’の内面）に当接して、第一連結部材９がそれ以上後方に回動するのを阻止するストッパーとして機能するように構成されている。
【００２６】
この屈曲部９ａにおける回動阻止機能は、第一連結部材９が９０°（伏状態を０°とした場合）よりも多く回動させた所定位置（本実施例では約１００°の位置）で機能するように構成されており、これは、移動させた焼き具載置体５が自然に元に戻らないようにする（自重で復帰動しないようにする）ための構成である。
【００２７】
本実施例は上述のように構成したから、コンロ本体２内に燃料１を補充する場合、連結体６を起状態となるように回動させて焼き具３を移動させて当該焼き具３とコンロ本体２の上方開口部２ａとの間に燃料通過空間Ｓを形成し、この燃料通過空間Ｓから燃料１を通過させてコンロ本体２内に収納する。
【００２８】
燃料１の補充後、連結体６を伏状態となるように復帰動（回動）させることで焼き具載置体５を前方へ移動させて焼き調理可能な状態とする。
【００２９】
よって、本実施例によれば、従来例に比し、燃料１の収納（補充）が安全に且つ良好に行えることになる。
【００３０】
また、本実施例は、焼き具移動構造４は、焼き具３の移動が略水平状態で行われる構成であるから、いつでも燃料１の収納が良好に行えることになる。即ち、例えば焼き調理中に焼き具３の上に食材が載っていても、そのままの状態で燃料１の補充が行えることになり、しかも、この焼き具３の移動は単に燃料１の収納・補充のときだけ有効になるのではなく、焼き具３を燃料１に任意に遠ざけたり近づけたりすことができることにもなるから食材の焼き過ぎを防止したり、或いは、火力調整にも有効である。
【００３１】
尚、本発明は、本実施例に限られるものではなく、各構成要件の具体的構成は適宜設計し得るものである。
【図面の簡単な説明】
【図１】  本実施例を示す斜視図である。
【図２】  本実施例の概略動作説明図である。
【図３】  本実施例を示す側面図である。
【図４】  本実施例の概略動作説明図である。
【図５】  本実施例に係る要部を説明する斜視図である。
【符号の説明】
Ｓ  燃料通過空間
１  燃料
２  コンロ本体
３  焼き具
４  焼き具移動構造
５  焼き具載置体
６  連結体
12 グリップ
【図１】
0003857577.tif 000002
【図２】
0003857577.tif 000003
【図３】
0003857577.tif 000004
【図４】
0003857577.tif 000005
【図５】
0003857577.tif 000006